(57)【要約】【課題】取付けようとする部材（木材）に厚みがあるためにくぎ打ちなどでは耐力に不安があるが、しかし、ボルト固定できる構造ではない箇所に利用でき、かつ、部材を正確な位置に固定できる木材用結合金物の提供。【解決手段】雄ねじ金物１１と雌ねじ金物１０とからなる木材用の結合金物９とする。雄ねじ金物１１は、ボルト部と頭部とからなるボルト形で頭部は座金部１９とされ、その上面に工具掛用の孔２２が形成されていると共に下面に自己座掘り用の切刃２１が形成されている。雌ねじ金物１０は、スクリュー部１２と頭部とからなるコーチねじ形で、座金部１４とその中心のナット部１５で頭部が形成されている。頭部は工具掛部を備えると共に、座金部１４の下面に自己座掘り用の切刃１７が形成されている。【選択図】図７
2008128334.tif 000002
【特許請求の範囲】
【請求項１】
雄ねじ金物と雌ねじ金物とからなる木材用の結合金物であって、雄ねじ金物は、ボルト部と頭部とからなるボルト形で頭部は座金部とされ、その上面に工具掛部が形成されていると共に下面に自己座掘り用の切刃が形成されており、雌ねじ金物は、スクリュー部と頭部とからなるコーチねじ形で、座金部とその中心のナット部で頭部が形成され、頭部は工具掛部を備えると共に、座金部の下面に自己座掘り用の切刃が形成されていることを特徴とした結合金物。
【発明の詳細な説明】
【技術分野】
【０００１】
この発明は、木造住宅において、木材どうしやパネルどうしあるいは木材とパネル間を結合するための木材用の結合金物に関する。
【背景技術】
【０００２】
木造住宅（木造軸組工法、枠組壁工法等）では、木材どうしやパネルどうしあるいは木材とパネル間を結合する箇所が多く存在する。従来、これらの箇所はほぞ結合や、釘打ち、ボルト止めあるいは結合用のいわゆる建築金物を用いて結合され、また、補強されている（特許文献１〜３）。
【０００３】
【特許文献１】特開２００４−３４６５６０号公報
【特許文献２】特開平９−２８７２０１号公報
【特許文献３】特開平７−３１７１４２号公報
【発明の開示】
【発明が解決しようとする課題】
【０００４】
しかし、これらの結合箇所の中には、屋根の小屋組みにおける小屋束と小屋梁あるいは母屋との結合のように、取付けようとする部材に厚みがあって、くぎ類の打ち込みだけでは不安があるとき、それならば、ボルトを利用しようとしても取付けの相手方がボルトを貫通させることができる構造ではなかったりで、結局、補強金物を併用するというような箇所がある。このような箇所では、通常、仕口による結合の上に釘打ちや補強金物を併用しているが手間を要する。また、屋根垂木や寄棟の隅木（あるいは谷木）と桁や母屋あるいは棟木との結合のように、傾斜があるために正確に位置決めして固定するのに熟練を要する箇所がある。
【０００５】
さらに、枠組壁工法では、枠組の片面または両面に構造用面材を貼り付けた屋根パネルを持上げて桁や母屋に固定することがあるが、パネル上面からの固定作業になるため、桁や母屋に対して屋根パネルを正確に位置決めするのが困難であったり、作業中にも正確な位置がずれないように、位置決めの引掛け金物など他の手段を必要とする。
この発明は、前記のように、取付けようとする部材（木材）に厚みがあるためにくぎ打ちなどでは耐力に不安があるが、しかし、ボルト固定できる構造ではない箇所に利用でき、かつ、部材を正確な位置に固定できる木材用結合金物の提供を課題とする。
【課題を解決するための手段】
【０００６】
結合金物は、ボルト形の雄ねじ金物とコーチねじ形の雌ねじ金物との組合せとする。
ボルト形の雄ねじ金物は、頭部が座金部とされ、座金部に工具掛部を有する。座金部は下面に自己座掘り用の切刃を有する。
雌ねじ金物は、スクリュー部と頭部とからなって、頭部が、座金部を備えたナット部となっている。座金部は下面に自己座掘り用の切刃を有する。
相手方部材の所定箇所に、あらかじめ雌ねじ金物のスクリュー部を回転工具を用いて所定の姿勢でねじ込み固定しておく。雌ねじ金物の座金部はねじ込みと回転により、自己座掘りして座金部が相手方部材の表面に埋まりこみ、この表面と面一となる。ナット部はこの面から外方に突出している。
【０００７】
雄ねじ金物は、取付けようとする部材の所定の箇所に所定の姿勢で形成した貫通孔に差し込んでおく。貫通孔の下端部には雌ねじ金物の前記突出したナット部が嵌入できる部分が形成されている。
取付けようとする部材を相手方部材に対し、雌ねじ金物の外方へ突出したナット部を利用して正確な位置に配置し、貫通孔に差し込んだ雄ねじ金物のボルト部を、回転工具により相手方部材の雌ねじ金物のナット部にねじ込み固定する。雄ねじ金物の座金部はねじ込み時の回転によって自己座掘りし、取付けようとする部材の表面と同一面に埋まりこむ。
【発明の効果】
【０００８】
相手方部材にあらかじめ取付けられている雌ねじ金物の外方へ突出したナット部により、取付けようとする部材が仮止めのような格好で位置決めされ、かつ、その位置のまま雄ねじ金物を螺合して固定することができる。このため、取付けようとする部材を正確な位置へ簡単に固定することができる。雄ねじ金物はボルト形であるから、頑丈であり、釘打ちに優る取付け強度が発揮される。また、雄ねじボルトは長くできるから、取付けようとする部材に厚みがあっても充分な強度を持って取付けることができる。雌ねじ金物は回転工具を用いてねじ込むだけであるから、固定が簡単であり、また、ナット止めは不要であるから、通常のボルト止めのように、相手側部材に貫通孔を形成する必要がない。
【発明を実施するための最良の形態】
【０００９】
図１は、枠組壁工法住宅における屋根部分であって、小屋組１の屋根横部材２（２ａ，２ｂ，２ｃ）に屋根パネル３を取り付け、屋根面を構築する施工の途中を示している。
小屋組１は、壁４の頂面に載置された格好で構成され、複数のトラス状架構５（５ａ，５ｂ，５ｃ）を並設し、これらを棟木相当部材２ａ、母屋２ｂ及び支持部材２ｃとで結合した構造となっている。なお、支持部材２ｃは、壁４を構成する壁パネル６の頂面を相互に結合したつなぎ材（構造用製材等）の上面に固定された屋根横部材である。
【００１０】
屋根パネル３は、この場合、一枚が屋根面頂部の棟木相当箇所から軒先までの長さを有するものであり、通常の壁パネルと同様に、縦材と横材を格子上に組み合わせた枠体７の表裏に構造用面材８（８ａ，８ｂ）を張ったものである（図２）。なお、この実施例では内部に断熱材を装てんしてある。このような屋根パネル３は工場で生産され、需要に応じて現場に搬送される。
屋根パネル３は、木材用結合金物９で屋根横部材２の棟木相当部材２ａと支持部材２ｃに取り付けられる。図２は、支持部材２ｃの箇所における取付け状態を示している。
【００１１】
木材用結合金物９は、雌ねじ金物１０(図３)と雄ねじ金物１１（図５)の組合せとなっている。
雌ねじ金物１０（図３）は、スクリュー部１２と頭部１３とからなるコーチねじ形で、頭部１３は、平らな円盤形をした座金部１４とその中心のナット部１５とで形成されている。頭部１３は、さらに、工具掛部１６を備えると共に、座金部１４の下面に自己座掘り用の切刃１７（図４）が形成されている。この実施例において、スクリュー部１２のねじ径は１２．２ｍｍ、長さ（座金部下面から先端まで）９０ｍｍ、座金部直径は４５ｍｍ、ナット部１５はねじ径８ｍｍ（φ８）で高さ１５ｍｍである。工具掛部１６は、ナット部１５を六角ナット形とすることにより形成されると共に、座金部の周縁に工具掛用の孔１８が形成されている。六角ナット形部分と孔１８は回転工具に応じて選択して使用される。
【００１２】
雄ねじ金物１１（図５）は、ボルト形であり、頭部の座金部１９とボルト部２０とが一体に形成されている。ボルト部２０は、Ｍ８であり、長さ１５０ｍｍである。ボルト部２０の径や長さやは屋根パネル３の厚さに応じたものとする。座金部１９は、直径４５ｍｍの円盤形でやはり下面に自己座掘り用の切刃２１を備え（図６イ）、周縁部に工具掛用の孔２２が形成されている（図６ロ）。
【００１３】
この木材用結合金物は、基本的に図７のように用いられる。
すなわち、図７のように、まず、相手方部材２３に雌ねじ金物１０をねじ込んでおく一方、取り付けようとする部材２４に雄ねじ金物１１のボルト部２０を挿し通す貫通孔２５を形成しておく。貫通孔２５の下部は拡大径部分２６とされ、雌ねじ金物１０におけるナット部１５が嵌入できる大きさである。
【００１４】
なお、雌ねじ金物１０は、座金部１４に設けた工具掛部１６に回転工具を係合させてスクリュー部１２を相手方部材２３にねじ込む。ねじ込みの最終段階では、座金部１４が相手方部材２３の上面に接し、切刃１７により自己座掘りを行い、座金部１４が相手方部材２３の上面と同一面となる。
【００１５】
相手方部材２３に取付けようとする部材２４を配置し、貫通孔２５の拡大径部分２６を相手方部材２３における雌ねじ金物１０のナット部１５に嵌める。これにより相手方部材２３に対する取付けようとする部材２４の位置が正確に定まり、また、変動することがない。ついで、雄ねじ金物１１を貫通孔２５に差し込んでボルト部２０の先端を雌ねじ金物１０のナット部１５にねじ込む。ねじ込みは、座金部１９の工具掛用の孔１８に係合させた回転工具を用いて行う。そして、ねじ込みの最終段階では、座金部１９が取付けようとする部材２４の上面に接し、切刃２１により自己座掘りを行い、座金部１９が取付けようとする部材２４の上面と同一面となる。
【００１６】
図２のように、屋根パネル３を小屋組１に取付ける場合は、まず、雌ねじ金物１０を所定の間隔および正確な角度（この場合、屋根の平勾配と直交する方向）で屋根横部材２（図２では支持部材２ｃ）に取り付ける一方、屋根パネル３の四隅に雄ねじ金物用の貫通孔２５とその下端部に拡大径部分２６を形成しておく。
屋根横部材２に雌ねじ金物１０を取り付ける工程や屋根パネル３に貫通孔２５を形成する工程はあらかじめ工場で正確に行われる。そして、屋根横部材２は雌ねじ金物１０を取り付けた状態で現場に搬送される。
【００１７】
現場において、屋根パネル３は、すでに組まれた小屋組１に吊り上げられ、屋根横部材２（棟木相当部材２ａ、母屋２ｂ、支持部材２ｃ）に載置される。このとき、四隅に形成された貫通孔２５の拡大径部分２６がそれぞれ、屋根横部材２の上面に突出した雌ねじ金物１０のナット部１５に嵌りこんで位置決めされる。また、同時に、ナット部１５との係合により仮止め状態となるので、屋根パネル３から吊り上げ部材をはずしても、屋根パネル３が小屋組からずり落ちてしまうことがない。すなわち、屋根パネル３は、小屋組１の屋根面が勾配を有しているにもかかわらず、予定箇所に正確に配置される。
【００１８】
ついで各雄ねじ金物１１を貫通孔２５に差し込み、回転工具を用いて、順次、屋根パネル３の上面から雌ねじ金物１０にねじ込み固定する。座金部１９は、屋根パネル３を構成する表面側構造用面材に埋まりこんで、構造用面材の表面と面一かそれ以下になる。このため、雄ねじ金物１１がコロニアルなどの屋根材を葺くときに支障となることがない。
【００１９】
図８は、屋根横部材２に比較的大きな屋根垂木２７を取付けるときの態様であり、傾斜した屋根垂木２７を安定して取り付けることができる。すなわち、屋根横部材２に屋根の平勾配角度で切除された傾斜面を作りこの面に雌ねじ金物１０が固定されている。その軸線方向は平勾配の線と直交する方向である。屋根垂木２７はその上面から雌ねじ金物１０の軸線方向に貫通孔２５が形成され、これに差し込まれた雄ねじ金物１１が雌ねじ金物１０と結合される。貫通孔２５の下部には、前記と同様に拡大径部分２６が形成されている。
図９は、横架材２８を小屋束などの垂直部材２９の頂部に載置して固定する場合であって、垂直部材２９の頂部に雌ねじ金物１０を固定し、横架材２８の上面から貫通孔２５に差し込んだ雄ねじ金物１１のボルト部２０をねじ込んである。貫通孔２５の下部は拡大径部分２６となっている。
【００２０】
図１０は、横架材２８の端部どうしが結合される箇所に用いた例であり、一方の横架材２８ａの端部に雌ねじ金物１０が固定され、他方の横架材２８ｂの側面から、貫通孔２５、拡大径部分２６を通して、雄ねじ金物１１が差し込まれ、雌ねじ金物１０にねじ込まれている。
このような箇所では、図１１のように、他の結合金物と併用されることもある。図１１の構造では、柱３０に梁３１の端部を接合するのに、木材用結合金物９は、他の引き寄せ金物３２と併用されている。また、この実施例では、雄ねじ金物１１のボルト部２０が、ほぞ金物３３のドリフトピン３４を挿し込む孔を貫通して取付けられており、ドリフトピンの機能も兼ねている。
【００２１】
図１２は、壁組の柱３０（又は縦枠）と横架材２８の緊結に木材用結合金物９を利用した例であり、引寄せ金物３５を用いている。引寄せ金物３５は柱３０に固定し、横架材２８に雌ねじ金物１０を固定しておく。ついで、引寄せ金物３５の係合部に雄ねじ金物１１を差し通し、その下端を雌ねじ金物１０のナット部１５にねじ込み固定する。引寄せ金物３５の相手として雌ねじ金物１０を横架材２８へねじ込むだけで準備でき、施工が簡単になる。符合３６は下枠、同３７は床面材である。
【００２２】
以上、実施例について説明した。
工具掛部１６は六角ナット形や座金部１４，１９の周縁に配置した工具掛用の孔１８，２２ばかりでなく、回転工具が係合して雌ねじ金物１０や雄ねじ金物１１を駆動回転できる形態であればよい。
取付けようとする部材側に形成する貫通孔２５は拡大径部分２６と同じ径にしておいてもよい。この場合は、拡大径部分２６が区別されない。
【図面の簡単な説明】
【００２３】
【図１】屋根パネルの取り付け状態を説明する斜視図。
【図２】取り付け部分を断面で示す正面図。
【図３】雌ねじ金物の正面図。
【図４】イは下面から見た平面図、ロは上面側から見た平面図（雌ねじ金物）。
【図５】雄ねじ金物の正面図。
【図６】イは、下面側から見た平面図、ロは上面側から見た平面図（雄ねじ金物）。
【図７】取り付け手順を説明するための断面による正面図。
【図８】屋根垂木の取り付けに利用した例を示す斜視図。
【図９】垂直部材の頂部に横架材を取付ける場合に利用した例を示す斜視図。
【図１０】横架材の端部どうしを結合する箇所に利用した例を示す斜視図。
【図１１】他の結合金物との併用例を示す概略の正面図。
【図１２】壁組に用いた例を一部破断して示す斜視図。
【符号の説明】
【００２４】
１  小屋組
２  屋根横部材
２ａ  棟木相当部材
２ｂ  母屋
２ｃ  支持部材
３  屋根パネル
４  壁
５  トラス状架構
６  壁パネル
７  枠体
８ａ  構造用面材（表）
８ｂ  構造用面材（裏）
９    木材用結合金物
１０  雌ねじ金物
１１  雄ねじ金物
１２  スクリュー部
１３  頭部
１４  座金部（雌ねじ金物）
１５  ナット部
１６  工具掛部
１７  切刃(雌ねじ金物)
１８  工具掛用の孔
１９  座金部（雄ねじ金物）
２０  ボルト部
２１  切刃（雄ねじ金物）
２２  工具掛用の孔
２３  相手方部材
２４  取付けようとする部材
２５  貫通孔
２６  拡大径部分
２７  屋根垂木
２８  横架材
２９  垂直部材
３０  柱
３１  梁
３２  他の引き寄せ金物
３３  ほぞ金物
３４  ドリフトピン
３５  引寄せ金物
３６  下枠
３７  床面材
【図１】
2008128334.tif 000003
【図２】
2008128334.tif 000004
【図３】
2008128334.tif 000005
【図４】
2008128334.tif 000006
【図５】
2008128334.tif 000007
【図６】
2008128334.tif 000008
【図７】
2008128334.tif 000009
【図８】
2008128334.tif 000010
【図９】
2008128334.tif 000011
【図１０】
2008128334.tif 000012
【図１１】
2008128334.tif 000013
【図１２】
2008128334.tif 000014